(57)【要約】【課題】  ファンの振動が外装筐体に伝達され、騒音の原因となる。【解決手段】  光学エンジンにて振動を抑制して、外装筐体に極力伝えない構成とした。  ファンを重量のある光学エンジンに保持することで振動を抑制し、低騒音なプロジェクタを実現する。【選択図】  図４
2009265378.tif 000002
【特許請求の範囲】
【請求項１】
液晶プロジェクタにおいて、
光学部品を保持する筐体部と、
光源ユニットを保持する光源ハウジング部と、
光源からの熱を筐体外に排出するためのファンを保持するファン保持部と、
前記ファンと光源との風路となるダクト部と、
前記ダクト部に設けられる遮光整流のためのルーバー部とが一体であることを特徴としたプロジェクタ。
【請求項２】
前記ファン保持部とファンとの間に弾性部材を設けたことを特徴とする請求項１に記載のプロジェクタ。
【請求項３】
前記ダクト部の開口部を塞ぐ部材にて
前記ファンの保持をすることを特徴とする請求項１に記載のプロジェクタ。
【発明の詳細な説明】
【技術分野】
【０００１】
本発明はプロジェクタの光学エンジンに関するものである。
【背景技術】
【０００２】
プロジェクタは、ランプによる熱を筐体外に排出するためにファンを利用している。昨今ではプロジェクタの高輝度化が進み、高出力の超高圧水銀ランプからの排出熱量はかなりのものとなっている。
【０００３】
そのためにファンを高回転で回す必要が出てくるが、ファン騒音が増えるのと、ファンからの振動も発生して静音の阻害要因となっている。ファンの固定方法の代表的な例として、特許文献１の図5のようなものが示されている。
【特許文献１】特開2003-215710号公報
【発明の開示】
【発明が解決しようとする課題】
【０００４】
しかしながら特許文献１の図5において、ファンを排気ボックスに固定する形態では、排気ボックスが軽量なことと、2体化された排気ボックス構造のため振動抑制効果は少なく、発生したファン振動は、排気ボックスを通じて外装筐体に伝えられ、騒音の原因となるものである。
【課題を解決するための手段】
【０００５】
そこで本提案においては、排気効率を維持するためにできるだけ気密性が高い構造としながらも振動を抑制する手段を提案する。排気効率を求めなければ、柔らかなゴムを駆使して非常に柔軟で気密性を犠牲にした構造も考えられるが、排気効率が高いということは、ファン回転数を抑えられるので静音という目的からは、気密性を維持する方が有利である。この場合気密性のためにファン取り付け部の振動伝達は抑えられなくなる。本提案のおいてはファンを排気ボックスに取り付ける形態は特許文献１と同様であるが、排気ボックス部はランプハウジング部が一体となった強固かつ重量のある光学エンジンと一体とするものである。
【発明の効果】
【０００６】
光学エンジンには、ランプユニット、照明光をパネル結像面で均一とするための照明光学系、色分離するための色分離光学系、パネルユニット、投射レンズが保持されており、必然的に非常に重い形態となる。この特性を生かして、ファンの保持を光学エンジンにすることで、ファン振動が伝えられても振動を抑止し、外装筐体に伝えない構造とするものである。これにより結果として振動騒音の少ないプロジェクタ筐体を提供することができるものである。
【発明を実施するための最良の形態】
【０００７】
次に、本発明の詳細を実施例の記述に従って説明する。
【０００８】
以下に、本発明の実施の形態を添付の図面に基づいて詳細に説明する。
【実施例１】
【０００９】
図１はプロジェクタ本体の外観を示す図であり、１は装置内部を保護するカバーであるところの外装（上）で、２は同様の役割をすると同時に装置内部の部品を保持する外装（下）である。３は装置内部で発生した熱を排気するための開口を設けられた側板（左）である。不図示であるが３の側板（左）に対向する位置には、外気取り込み用の微小な開口と、信号入出力のための外部インターフェースコネクタ部を有する側板（右）がある。４はパネルからの光をスクリーンに拡大投写するための投写レンズユニットである。これらは一般的なフロントプロジェクターの外観であるが、２の外装（下）が装置のどの部位に相当するかを示すものである。
【００１０】
図２は図１から、１の外装（上）、３の側板（左）、不図示の側板（右）を取り外した状態を示す図であり、２の外装（下）に内部部品のほとんどが保持されていることを示すものである。５は光学エンジンの色分離合成光学系包含部であり、光学エンジンのカバーであるところのボックスカバー内部には不図示となるが、パネルを含むプリズムユニットが内包されている。６は照明光学系内包部で、後述のランプからの光をパネルに均一にするための光学部品を包含する部位である。７は光学ボックス部である。８はランプで発生した熱を筐体外に排出するためのランプ排気ファンである。９は強電基板ユニット部であり、内部には装置全体に電力供給するための電源基板と、ランプに直接送る電力を供給するためのバラスト基板が内包保持されている。１０は主に９の強電板部から発生する熱を装置外部に排出するための電源基板排気ファンである。１１は外部からの入出力信号を受けパネルを駆動すると同時に内部全ての電気的制御を司る、信号基板ユニット部である。１２は５の光学エンジンの色分離合成光学系包含部にあるパネルや、その他高温となる光学の冷却を行うパネル冷却ファンである。１３はランプバルブの温度コントロールを行うために冷却風を導くランプダクトである。１４は前記１３のランプダクトに風を送るためのランプ冷却ファンである。１５はランプの熱を８のランプ排気ファンに導くための排気ボックス部の上面を塞ぐ排気ボックス板である。
【００１１】
図３は７の光学ボックス部が占める投影面積を示すものであり、７A部は前述のプリズムユニットが内包保持される部位である。７Hはランプハウジング部であり、７Lはランプからの直接光を防ぎ、ランプからの排熱風を整流するためのルーバー部である。７の光学ボックスが大きな投影面積を占めることで、全体にわたり強固な骨組み構造をなしている。
【００１２】
図４は図３で示した光学ボックス部の断面図であり、１６はランプユニットである。７Iは前述の照明光学系を内包する部位であり、７Rは８のランプ排気ファンを保持する部位である。
【００１３】
以上説明した構造から、８のランプ排気ファンが、必然的に重くなる光学エンジンに取り付けられていることが理解できると思われる。光学ボックスには、ランプユニットと、照明光学系と、パネルを含むプリズムユニットと、投写レンズユニットが保持されることで、装置内部では一番重いユニットとなっている。この重い光学エンジンにランプ排気ファンを保持することで振動を抑制するものである。また７Lのルーバーを７の光学ボックスと一体とすることで高い剛性を得られ、これも振動抑制効果を高めるものである。８のランプ排気ファンは７Rのファン保持部に隙間少なく保持されることで気密性を高められ、高効率排気冷却を可能とするものである。
【図面の簡単な説明】
【００１４】
【図１】本発明の外観形状を示す図。
【図２】本発明の外装無し状態を示す図。
【図３】本発明の主要構成部を示す図。
【図４】本発明の主要構成部の断面図。
【符号の説明】
【００１５】
１  外装（上）
２  外装（下）
３  側板（左）
４  投写レンズユニット
５  色分離合成光学系包含部
６  照明光学系内包部
７  光学ボックス部
８  ランプ排気ファン
９  強電基板ユニット部
１０  電源基板排気ファン
１１  信号基板ユニット部
１２  パネル冷却ファン
１３  ランプダクト
１４  ランプ冷却ファン
１５  排気ボックス板
【図１】
2009265378.tif 000003
【図２】
2009265378.tif 000004
【図３】
2009265378.tif 000005
【図４】
2009265378.tif 000006